【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
複合創傷被覆材であって、
活性炭材料を含む創傷接触層と、
前記創傷接触層に隣接するバリア材料層と、
前記バリア層に隣接する液体吸収材料層と、
前記液体吸収材料層に隣接する液体不透過性の外層と、
前記液体不透過性の外層および前記バリア材料層の一部を前記創傷接触層に実質的に接着させる接着部であって、前記接着部は前記複合材料の未接着層の密封パウチを形成し、前記液体吸収層を封入する、前記接着部と
を有する、複合創傷被覆材。
【請求項２】
前記活性炭材料が活性炭布を有する、請求項１記載の複合創傷被覆材。
【請求項３】
前記活性炭材料が、織布、不織布、編まれた布、活性炭フェルト、またはそれらの組み合わせを有する、請求項１または２記載の複合創傷被覆材。
【請求項４】
前記活性炭材料が、活性炭粒子、活性炭粉末、活性炭繊維、またはそれらの組み合わせを有する、請求項１〜３のいずれか１つに記載の複合創傷被覆材。
【請求項５】
前記バリア材料が不織布を有する、請求項１〜４のいずれか１つに記載の複合創傷被覆材。
【請求項６】
前記液体吸収材料が、平方フィート当たり約７５〜約１，７００グラム（平方メートル当たり約０．８００〜約１８．３キログラム）の吸収性を有する、請求項１〜５のいずれか１つに記載の複合創傷被覆材。
【請求項７】
前記液体不透過性材料がポリエチレンスパンボンド布を有する、請求項１〜６のいずれか１つに記載の複合創傷被覆材。
【請求項８】
前記創傷接触層と前記バリア材料層との間に配置された第１の接着剤をさらに有する、請求項１〜７のいずれか１つに記載の複合創傷被覆材。
【請求項９】
前記第１の接着剤が熱可塑性ポリマー樹脂の不織ウェブを有する、請求項８記載の複合創傷被覆材。
【請求項１０】
前記液体吸収材料層と前記液体不透過性材料の外層との間に配置された第２の接着剤をさらに有する、請求項１〜９のいずれか１つに記載の複合創傷被覆材。
【請求項１１】
前記第２の接着剤がポリビニルピロリドン／酢酸ビニルコポリマーを有する、請求項１０記載の複合創傷被覆材。
【請求項１２】
前記接着部が熱溶接部を有する、請求項１〜１１のいずれか１つに記載の複合創傷被覆材。
【請求項１３】
前記接着部が、前記密封パウチを覆う周縁シールを有する、請求項１〜１２のいずれか１つに記載の複合創傷被覆材。
【請求項１４】
複合創傷被覆材を製造する方法であって、
活性炭材料を含む創傷接触層を提供する工程と、
前記創傷接触層にバリア材料を塗布する工程と、
前記バリア材料に液体吸収材料層を塗布する工程と、
液体不透過性材料を含む外層を塗布する工程と、
前記外層および前記バリア材料層の少なくとも一部を前記創傷接触層に接着させる工程であって、前記複合材料の未接着層の密封パウチを形成し、前記液体吸収層を封入する、前記接着させる工程と
を有する、方法。
【請求項１５】
前記活性炭材料が活性炭布を有する、請求項１４記載の方法。
【請求項１６】
前記活性炭材料が、織布、不織布、編まれた布、活性炭フェルト、またはそれらの組み合わせを有する、請求項１４または１５記載の方法。
【請求項１７】
前記活性炭材料が、活性炭粒子、活性炭粉末、活性炭繊維、またはそれらの組み合わせを有する、請求項１４〜１６のいずれか１つに記載の方法。
【請求項１８】
前記バリア材料が不織布を有する、請求項１４〜１７のいずれか１つに記載の方法。
【請求項１９】
前記液体吸収材料が、平方フィート当たり約７５〜約１，７００グラム（平方メートル当たり約０．８００〜約１８．３キログラム）の吸収性を有する、請求項１４〜１８のいずれか１つに記載の方法。
【請求項２０】
前記液体不透過性材料がポリエチレンスパンボンド布を有する、請求項１４〜１９のいずれか１つに記載の方法。
【請求項２１】
前記創傷接触層に前記バリア材料を塗布する工程が、第１の接着剤を塗布する工程をさらに有する、請求項１４〜２０のいずれか１つに記載の方法。
【請求項２２】
前記第１の接着剤が熱可塑性ポリマー樹脂の不織ウェブを有する、請求項２１記載の方法。
【請求項２３】
前記液体吸収層に前記外層を塗布する工程が、第２の接着剤を塗布する工程を有する、請求項１４〜２２のいずれか１つに記載の方法。
【請求項２４】
前記第２の接着剤がポリビニルピロリドン／酢酸ビニルコポリマーを有する、請求項２３記載の方法。
【請求項２５】
前記接着させる工程は、熱溶接部を形成する工程を有する、請求項１４〜２４のいずれか１つに記載の方法。
【請求項２６】
前記接着させる工程は、前記密封パウチを覆う周縁シールを形成する工程を有する、請求項１４〜２５のいずれか１つに記載の方法。
【請求項２７】
創傷の治療に使用するための複合創傷被覆材であって、
活性炭材料を含む創傷接触層と、
第１の接着剤で前記活性炭材料に接着されているバリア材料層と、
液体吸収材料層と、
第２の接着剤で前記液体吸収層に接着されている液体不透過性材料の外層と、
前記液体不透過性の外層および前記バリア材料層の一部を前記創傷接触層に実質的に接着させる接着部であって、前記接着部は前記液体吸収層を封入する前記複合材料の未接着層を周囲に密封したパウチを形成する、前記接着部と
を有する、複合創傷被覆材。
【請求項２８】
複合創傷被覆材であって、
活性炭材料を含む創傷接触層と、
第１の接着剤で前記創傷接触層の創傷とは反対側に接着されているバリア材料層と、
液体吸収パッドを含む液体吸収材料層と、
第２の接着剤で前記液体吸収材料層の創傷とは反対側に接着されている液体不透過性材料の外層と、
前記液体不透過性の外層および前記バリア材料層の一部を前記創傷接触材料層に実質的に接着させる接着部であって、前記接着部は、前記液体吸収材料層を封入する周囲に密封されたパウチを形成する、前記接着部と
を有する、複合創傷被覆材。
【手続補正２】
【補正対象書類名】明細書
【補正対象項目名】０００１
【補正方法】変更
【補正の内容】
【０００１】
関連出願の相互参照
本出願は、２０１６年１２月２３日に出願された「活性炭複合創傷被覆材」と題する米国仮出願第６２／４３８，６５１号の優先権および利益を主張し、その全体がこの参照により本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第２，９３３，４５３号明細書
（特許文献２）  米国特許出願公開第２００２／０１２９７１１号明細書
（特許文献３）  米国特許出願公開第２００３／００４９１８７号明細書
（特許文献４）  米国特許出願公開第２００４／０１０７４７４号明細書
（特許文献５）  米国特許出願公開第２００４／０１３３１４１号明細書
（特許文献６）  米国特許出願公開第２００４／０２０６６８２号明細書
（特許文献７）  米国特許出願公開第２００５／００３７０５７号明細書
（特許文献８）  米国特許出願公開第２００５／０１８３７２７号明細書
（特許文献９）  米国特許出願公開第２００５／０２６３４５６号明細書
（特許文献１０）  米国特許出願公開第２００６／００１６３４０号明細書
（特許文献１１）  米国特許出願公開第２００６／０１０７６３９号明細書
（特許文献１２）  米国特許出願公開第２００６／０１１６２８７号明細書
（特許文献１３）  米国特許出願公開第２００６／０１４２７０９号明細書
（特許文献１４）  米国特許出願公開第２００７／００２６２０９号明細書
（特許文献１５）  米国特許出願公開第２００７／００４８５２１号明細書
（特許文献１６）  米国特許出願公開第２００７／００５９５０４号明細書
（特許文献１７）  米国特許出願公開第２００７／０１２２４６３号明細書
（特許文献１８）  米国特許出願公開第２００７／０１３５７８５号明細書
（特許文献１９）  米国特許出願公開第２００７／０１８１００１号明細書
（特許文献２０）  米国特許出願公開第２００７／０２０２７７０号明細書
（特許文献２１）  米国特許出願公開第２００８／００７３２９０号明細書
（特許文献２２）  米国特許出願公開第２００８／０１４８９４６号明細書
（特許文献２３）  米国特許出願公開第２００８／０２１６２１８号明細書
（特許文献２４）  米国特許出願公開第２００９／０１１７１６５号明細書
（特許文献２５）  米国特許出願公開第２００９／０２３５６２５号明細書
（特許文献２６）  米国特許出願公開第２００９／０３１２６８４号明細書
（特許文献２７）  米国特許出願公開第２０１０／０２１２０７１号明細書
（特許文献２８）  米国特許出願公開第２０１０／０２４７４０４号明細書
（特許文献２９）  米国特許出願公開第２０１１／０１１４０９５号明細書
（特許文献３０）  米国特許出願公開第２０１１／０３０８５２４号明細書
（特許文献３１）  米国特許出願公開第２０１２／００６７２１５号明細書
（特許文献３２）  米国特許出願公開第２０１３／００５２８０７号明細書
（特許文献３３）  米国特許出願公開第２０１３／０１２５７４８号明細書
（特許文献３４）  米国特許出願公開第２０１５／０３５２３９２号明細書
（特許文献３５）  米国特許出願公開第２０１９／０３５８０８８号明細書
（特許文献３６）  米国特許第３，０５４，１４８号明細書
（特許文献３７）  米国特許第３，５８６，５９６号明細書
（特許文献３８）  米国特許第３，８７４，８４９号明細書
（特許文献３９）  米国特許第３２２，６６４号明細書
（特許文献４０）  米国特許第４，０６７，２１０号明細書
（特許文献４１）  米国特許第４，１１３，６５１号明細書
（特許文献４２）  米国特許第４，１３０，４８７号明細書
（特許文献４３）  米国特許第４，１８１，５１３号明細書
（特許文献４４）  米国特許第４，２６７，０５７号明細書
（特許文献４５）  米国特許第４，３９０，６９８号明細書
（特許文献４６）  米国特許第４，４９６，３５９号明細書
（特許文献４７）  米国特許第４，５１３，０４７号明細書
（特許文献４８）  米国特許第４，５２９，６２３号明細書
（特許文献４９）  米国特許第４，６５７，８０８号明細書
（特許文献５０）  米国特許第４，７１５，８５７号明細書
（特許文献５１）  米国特許第４，７８９，６９９号明細書
（特許文献５２）  米国特許第４，８４２，７４６号明細書
（特許文献５３）  米国特許第４，８４７，０８９号明細書
（特許文献５４）  米国特許第４，８５０，７２９号明細書
（特許文献５５）  米国特許第４，９２８，６８１号明細書
（特許文献５６）  米国特許第５，０７９，７９２号明細書
（特許文献５７）  米国特許第５，２３０，９６０号明細書
（特許文献５８）  米国特許第５，２６４，０４４号明細書
（特許文献５９）  米国特許第５，２７５，６６９号明細書
（特許文献６０）  米国特許第５，３６８，７３８号明細書
（特許文献６１）  米国特許第５，３８３，２３６号明細書
（特許文献６２）  米国特許第５，５３９，９３０号明細書
（特許文献６３）  米国特許第５，６９５，７７５号明細書
（特許文献６４）  米国特許第５，７３１，０６５号明細書
（特許文献６５）  米国特許第５，７５０，４８８号明細書
（特許文献６６）  米国特許第５，７７０，０９０号明細書
（特許文献６７）  米国特許第５，７９０，９８７号明細書
（特許文献６８）  米国特許第５，８７６，６０７号明細書
（特許文献６９）  米国特許第５，９１２，４２３号明細書
（特許文献７０）  米国特許第５，９３８，８５８号明細書
（特許文献７１）  米国特許第６，００９，５５９号明細書
（特許文献７２）  米国特許第６，０５３，９５２号明細書
（特許文献７３）  米国特許第６，１３４，７１８号明細書
（特許文献７４）  米国特許第６，１５６，４０７号明細書
（特許文献７５）  米国特許第６，２００，３６８号明細書
（特許文献７６）  米国特許第６，３０３，７００号明細書
（特許文献７７）  米国特許第６，３７５，９７６号明細書
（特許文献７８）  米国特許第６，６６０，９０１号明細書
（特許文献７９）  米国特許第６，９４６，０７７号明細書
（特許文献８０）  米国特許第７，２６０，８５３号明細書
（特許文献８１）  米国特許第７，３０９，３３１号明細書
（特許文献８２）  米国特許第７，４９４，６２９号明細書
（特許文献８３）  米国特許第７，５１７，５３６号明細書
（特許文献８４）  米国特許第７，５５３，３７１号明細書
（特許文献８５）  米国特許第７，６８２，９９４号明細書
（特許文献８６）  米国特許第７，９９８，２５８号明細書
（特許文献８７）  米国特許第８，０１１，０２４号明細書
（特許文献８８）  米国特許第８，０３４，７４１号明細書
（特許文献８９）  米国特許第８，０６９，４９６号明細書
（特許文献９０）  米国特許第９，３０２，２４６号明細書
（特許文献９１）  豪国特許出願公開第２００７２０００８５号明細書
（特許文献９２）  ベルギー国特許発明第９０３６２２号明細書
（特許文献９３）  中国実用新案第２６０９５８３号明細書
（特許文献９４）  中国実用新案第２７０８９４４号明細書
（特許文献９５）  中国実用新案第２８９２９３１号明細書
（特許文献９６）  中国実用新案第２００９３８８４７号明細書
（特許文献９７）  中国実用新案第２００９８０３５２号明細書
（特許文献９８）  中国特許出願公開第１０１３７１９５６号明細書
（特許文献９９）  欧州特許出願公開第００５３９３６号明細書
（特許文献１００）  欧州特許出願公開第０３１１３６４号明細書
（特許文献１０１）  欧州特許出願公開第０９２７０１２号明細書
（特許文献１０２）  欧州特許出願公開第１９５３２８６号明細書
（特許文献１０３）  英国特許出願公開第１３０１１０１号明細書
（特許文献１０４）  英国特許出願公開第２２０６４９５号明細書
（特許文献１０５）  英国特許出願公開第２５３１３４５号明細書
（特許文献１０６）  特開平０３−５６４２７号公報
（特許文献１０７）  特開平０８−１４１５５３号公報
（特許文献１０８）  特開平０８−１４１０１０号公報
（特許文献１０９）  特開平０９−１１１６５３号公報
（特許文献１１０）  特開２００４−３２３４２８号公報
（特許文献１１１）  特開２００７−１４４１４９号公報
（特許文献１１２）  特開２００９−０４０７６０号公報
（特許文献１１３）  特許第４２７２５８６号明細書
（特許文献１１４）  特開２０１０−１７９１３１号公報
（特許文献１１５）  韓国公開特許第１０−２００６−０１０１０１５号公報
（特許文献１１６）  韓国公開実用新案第２００９−０００５０１５号公報
（特許文献１１７）  ロシア国特許発明第２２４０１４０号明細書
（特許文献１１８）  ロシア国特許発明第２３９３８７６号明細書
（特許文献１１９）  ロシア国特許発明第２４２６５５７号明細書
（特許文献１２０）  国際公開第ＷＯ  ８６／０５９７０号
（特許文献１２１）  国際公開第２００２／０５８８１３号
（特許文献１２２）  国際公開第２００５／０４９１４７号
（特許文献１２３）  国際公開第２０１０／１０１５２０号
（特許文献１２４）  国際公開第２０１１／０６２９９６号
（特許文献１２５）  国際公開第２０１２／１６７２８０号
（特許文献１２６）  国際公開第２０１３／０２８９６６号
（特許文献１２７）  国際公開第２０１３／０７５１０６号
（特許文献１２８）  国際公開第２０１３／１６３２８８号
（特許文献１２９）  国際公開第２０１５／１６３９６９号
（非特許文献）
（非特許文献１）  ＣＯＸ，Ｔｈｅ  Ａｅｒｏｂｉｏｌｏｇｉｃａｌ  Ｐａｔｈｗａｙ  ｏｆ  Ｍｉｃｒｏｏｒｇａｎｉｓｍｓ，Ｊｏｈｎ  Ｗｉｌｅｙ  &  Ｓｏｎｓ，（Ｃｈｉｃｈｅｓｔｅｒ，Ｎｅｗ  Ｙｏｒｋ）  １９８７，ＴＯＣ  （７  ｐｐ．）
（非特許文献２）  ＤＲＵＥＴＴ，Ａ  ｍｏｂｉｌｅ  ｆｏｒｍ  ｏｆ  ｔｈｅ  Ｈｅｎｄｅｒｓｏｎ  ａｐｐａｒａｔｕｓ，Ｊ．Ｈｙｇ．Ｓｅｐｔ．，１９６９；  ６７（３）：４３７−４４８
（非特許文献３）  ＤＵＢＯＶＩ，ｅｔ  ａｌ．，Ａｉｒｂｏｒｎｅ  ｓｔａｂｉｌｉｔｙ  ｏｆ  ｔａｉｌｌｅｓｓ  ｂａｃｔｅｒｉａｌ  ｖｉｒｕｓｅｓ  Ｓ１３  ａｎｄ  ＭＳ−２，Ａｐｐｌ  Ｅｎｖｉｒｏｎ  Ｍｉｃｒｏｂｉｏｌ．，Ａｐｒ．１９７０；  １９（４）：６２４−６２８
（非特許文献４）  Ｅｘｔｅｎｄｅｄ  Ｅｕｒｏｐｅａｎ  Ｓｅａｒｃｈ  Ｒｅｐｏｒｔ  ｉｎ  ＥＰ  １５７８３５３２．３  ｄａｔｅｄ  Ｓｅｐｔｅｍｂｅｒ  ２８，２０１７
（非特許文献５）  ＧＩＮＳＢＵＲＧ  ｅｔ  ａｌ．，Ｅｘｐｅｒｉｍｅｎｔａｌ  Ｓｔｕｄｙ  ｏｆ  ｔｈｅ  Ｉｍｍｏｂｉｌｉｚａｔｉｏｎ  ｏｆ  Ａｃｉｄｉｔｈｉｏｂａｃｉｌｌｕｓ  Ｆｅｒｒｏｏｘｉｄａｎｓ  ｏｎ  Ｃａｒｂｏｎ  Ｂａｓｅｄ  Ｓｕｐｐｏｒｔｓ，２００７，Ｂｉｏｃｈｅｍ．Ｅｎｇ．Ｊ．３６（３）：２９４−３００
（非特許文献６）  ＨＥＮＤＥＲＳＯＮ，Ｄ．Ｗ．，Ａｎ  ａｐｐａｒａｔｕｓ  ｆｏｒ  ｔｈｅ  ｓｔｕｄｙ  ｏｆ  ａｉｒｂｏｒｎｅ  ｉｎｆｅｃｔｉｏｎ，Ｊ．Ｈｙｇ．Ｍａｒｃｈ  １９５２；  ５０（１）：５３−６８
（非特許文献７）  ＩＤＦＬ，Ａｉｒ  Ｐｅｒｍｅａｂｉｌｉｔｙ  Ｃｏｎｖｅｒｓｉｏｎ  Ｆａｃｔｏｒｓ，０２  Ａｕｇｕｓｔ  ２０１３  （１  ｐ．）
（非特許文献８）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１２／０５２２４６，ｄａｔｅｄ  Ｆｅｂｒｕａｒｙ  １３，２０１３
（非特許文献９）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ２０１２／０６５８６７  ｄａｔｅｄ  Ｆｅｂｒｕａｒｙ  １８，２０１３
（非特許文献１０）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ２０１３／０３７９８０  ｄａｔｅｄ  Ａｕｇｕｓｔ  １６，２０１３
（非特許文献１１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ２０１７／０６８１９３  ｄａｔｅｄ  Ｆｅｂｒｕａｒｙ  ２２，２０１８
（非特許文献１２）  ＬＹＳＥＮＫＯ  ｅｔ  ａｌ．，Ｍｅｔａｌ−ｃｏｎｔａｉｎｉｎｇ  ｃｈｅｍｉｃａｌ  ｆｉｂｒｅｓ  ａｎｄ  ｔｈｅｉｒ  ｕｓｅ  ｉｎ  ｂｉｏｔｅｃｈｎｏｌｏｇｙ，Ｆｉｂｒｅ  Ｃｈｅｍｉｓｔｒｙ，Ｍａｒ．２００７；  ３９（２）：１４４−１５２
（非特許文献１３）  ＭＡＹ，ｅｔ  ａｌ．，Ｔｈｅ  ｅｆｆｉｃｉｅｎｃｙ  ｏｆ  ｖａｒｉｏｕｓ  ｌｉｑｕｉｄ  ｉｍｐｉｎｇｅｒ  ｓａｍｐｌｅｒｓ  ｉｎ  ｂａｃｔｅｒｉａｌ  ａｅｒｏｓｏｌｓ，Ｂｒ  Ｊ  Ｉｎｄ．Ｍｅｄ．，Ｏｃｔ．１９５７；  １４（４）：２８７−２９７
（非特許文献１４）  ＭＡＹ，  Ｔｈｅ  Ｃｏｌｉｓｉｏｎ  Ｎｅｂｕｌｉｚｅｒ，Ｄｅｓｃｒｉｐｔｉｏｎ，Ｐｅｒｆｏｒｍａｎｃｅ  ａｎｄ  Ａｐｐｌｉｃａｔｉｏｎ，Ｊ．Ａｅｒｏｓｏｌ．Ｓｃｉ．，１９７３；  ４（３）：２３５−２４３
（非特許文献１５）  Ｎａｔｉｏｎａｌ  Ｆｉｌｔｅｒ  Ｍｅｄｉａ，Ｃｏｎｖｅｒｓｉｏｎ  Ｆａｃｔｏｒｓ  ｆｏｒ  Ａｉｒ  Ｐｅｒｍｅａｂｉｌｉｔｙ，ｒｅｆｅｒｅｎｃｅｄ  ｉｎ  ａｐｐｌｉｃａｎｔ’ｓ  ２４  Ｊｕｌｙ  ２０１４  ｒｅｍａｒｋｓ，ａｔ  ｐｐ．５−６，ｆｏｒ  ａｃｃｅｓｓｉｂｉｌｉｌｔｙ  ａｔ  ：  ｈｔｔｐ：／／ｗｗｗ．ｎｆｍ−ｆｉｌｔｅｒ．ｃｏｍ／ｎａｔｉｏｎｆｉｌｔｅｒ／ｕｓｅｒｆｉｌｅｓ／ｆｉｌｅ／ｃｏｎｖｅｒｓｉｏｎ％２０Ｆａｃｔｏｒｓ％２０ｆｏｒ％２０Ａｉｒ％２０Ｐｅｒｍｅａｂｉｌｉｔｙ．ｐｄｆ
（非特許文献１６）  ＳＩＥＢＥＮ  ｅｔ  ａｌ．，Ｆｌｅｘｉｂｌｅ  Ｒｕｔｈｅｎｉｕｍ  Ｏｚｉｄｅ−ａｃｔｉｖａｔｅｄ  Ｃａｒｂｏｎ  Ｃｌｏｔｈ  Ｃｏｍｐｏｓｉｔｅｓ  Ｐｒｅｐａｒｅｄ  ｂｙ  Ｓｉｍｐｌｅ  Ｅｌｅｃｔｒｏｄｅｐｏｓｉｔｉｏｎ  Ｍｅｔｈｏｄｓ，Ｊ．Ｅｎｅｒｇｙ  （Ｊｕｌｙ  １７，２０１３）  ５８：５１９−５２６